(57)【要約】      （修正有）【課題】ハウス内の栽培環境を最適且つ高精度に制御可能な農業用ハウス内環境制御システム及び農業用ハウス内環境制御方法を提供する。【解決手段】ハウス１内に設置される乾湿計２０と、ハウス内の栽培環境を調節する環境調節装置３０と、環境調節装置を制御する環境制御装置４０とを含んで構成され、環境制御装置が、乾湿計で測定される乾球温度測定値及び湿球温度測定値と、乾球温度測定値及び湿球温度測定値を基に湿度表から取得される相対湿度と、環境調節装置３０の状態とが入力される入力部４１と、湿球温度測定値が湿球温度設定値の範囲外のとき、湿球温度測定値が湿球温度設定値の範囲内に納まるように、環境制御情報を環境調節装置へ送出する出力部４４とを備える農業用ハウス内環境制御システム１０。【選択図】図１
2020191827.tif 000002
【特許請求の範囲】
【請求項１】
少なくとも農業用ハウス内の環境情報に基づいて農業用ハウス内の栽培環境を最適に自動制御する制御システムであって、
ハウス内に設置される乾湿計と、
ハウス内の栽培環境を調節する環境調節装置と、
前記環境調節装置を制御する環境制御装置と
を含んで構成され、
前記環境制御装置が、少なくとも、前記乾湿計で測定される乾球温度測定値及び湿球温度測定値と、該乾球温度測定値及び湿球温度測定値を基に湿度表から取得される相対湿度と、前記環境調節装置の状態と、が入力される入力部と、
予め設定されたハウス内の湿球温度設定値と前記湿球温度測定値とを比較して、前記湿球温度測定値が前記湿球温度設定値の範囲内であるか否かを判定する判定部と、
前記湿球温度測定値が前記湿球温度設定値の範囲外のとき、前記湿球温度測定値が前記湿球温度設定値の範囲内に納まるように、乾球温度目標値及び／又は相対湿度目標値を湿り空気線図から取得して環境制御情報を設定する環境制御情報設定部と、
前記環境制御情報を前記環境調節装置へ送出する出力部と、
を備えることを特徴とする農業用ハウス内環境制御システム。
【請求項２】
ハウス外に設置される日射計を更に含んで構成され、
前記入力部に、前記日射計で測定される日射量測定値と、前記日射計が設置されている地点における該日射量測定値の取得時の大気外全天日射量とが入力され、
前記環境制御情報を設定する際、前記日射量測定値と前記大気外全天日射量とを比較して曇り度合いを算出し、該曇り度合いによって前記環境制御情報を補正することを特徴とする請求項１に記載の農業用ハウス内環境制御システム。
【請求項３】
前記環境調節装置が換気窓であることを特徴とする請求項１または請求項２に記載の農業用ハウス内環境制御システム。
【請求項４】
少なくとも農業用ハウス内の環境情報に基づいて農業用ハウス内の栽培環境を最適に自動制御する制御方法であって、
ハウス内の湿球温度設定値を入力する湿球温度設定値入力ステップと、
ハウス内に設置された乾湿計で測定される乾球温度測定値及び湿球温度測定値と、該乾球温度測定値及び湿球温度測定値を基に湿度表から取得される相対湿度と、環境調節装置の状態とを取得する情報取得ステップと、
前記湿球温度設定値と前記湿球温度測定値とを比較して、前記湿球温度測定値が前記湿球温度設定値の範囲内であるか否かを判定する判定ステップと、
前記湿球温度測定値が前記湿球温度設定値の範囲外のとき、前記湿球温度測定値が前記湿球温度設定値の範囲内に納まるように、乾球温度目標値及び／又は相対湿度目標値を湿り空気線図から取得して環境制御情報を設定する環境制御情報設定ステップと、
前記環境制御情報を前記環境調節装置へ送出する出力ステップと
を備えることを特徴とする農業用ハウス内環境制御方法。
【請求項５】
前記情報取得ステップにおいて、ハウス外に設置された日射計で測定される日射量測定値と、該日射計が設置されている地点における該日射量測定値の取得時の大気外全天日射量とが更に取得され、
前記環境制御情報設定ステップにおいて、前記日射量測定値と前記大気外全天日射量とを比較して曇り度合いを算出し、環境情報を設定する際に該曇り度合いによって前記環境制御情報が補正されることを含むことを特徴とする請求項４に記載の農業用ハウス内環境制御方法。
【発明の詳細な説明】
【技術分野】
【０００１】
本発明は、農業用ハウス内での農作物の栽培環境を最適な状態にするための環境制御システムに関する。
【背景技術】
【０００２】
農業用ハウス内では、農作物を最適な環境条件で栽培するべく、従来から温度や湿度等を測定し、それらが最適な状態となるように天窓や側窓、保温カーテン、遮光カーテン等の開閉作業、暖房機や送風機等の操作といった所謂「環境制御」を行っている。特に、農作物を栽培するにあたっては光合成を促進することが重要となるが、光合成を促進するべく、例えば飽差による環境制御が行われている。飽差は、ある温度と湿度の空気に、あとどれだけ水蒸気が入る余地があるかを示す指標（単位；ｇ／ｍ３）であり、植物の生長にとって最適な飽差は３〜６ｇ／ｍ３とされている。飽差による環境制御では、飽差表に基づいて、ハウス内の温度と相対湿度を管理している。
【０００３】
また、日射量による環境制御を行う制御システムも種々開示されている（例えば特許文献１及び特許文献２参照。）。特許文献１に開示された温室環境制御装置は、日射量を測定して日射量データに変換する日射量測定手段と、この日射量測定手段により変換された日射量データ及びこの日射量データの測定時に対応する快晴日射量データに基づいて前記温室の温度を制御する温度制御手段とを備えたことを特徴とする。
【０００４】
上記の構成を備える特許文献１に係る温室環境制御装置によると、日射量測定手段が、日射量を測定して日射量データに変換し、温度制御手段が、日射量測定手段により変換された日射量データ及びこの日射量データの測定時に対応する快晴日射量データに基づいて温室の温度を制御するので、日射量に対応して温室の温度を自動的に制御し、作物の品質を向上させることができる旨、記載されている。
【０００５】
また、特許文献２に開示された農業用環境制御装置は、少なくとも日射量を測定する日射量測定手段と、前記日射量測定手段で測定した前記日射量又は前記日射量の変化から、一日を複数に区分した時間帯の時刻を算出する制御手段とを備え、前記制御手段では、算出した前記時刻によって、前記時間帯に応じて設定している制御要素を制御することを特徴とする。
【０００６】
上記の構成を備える特許文献２に係る農業用環境制御装置によると、一日の日射量の変化によって日の出時間や日没時間、午前、午後、などを判断し、ユーザーの時間設定の変更による労力を低減し、初心者でも的確な設定を行うことができる旨、記載されている。
【先行技術文献】
【特許文献】
【０００７】
【特許文献１】特開平７−５５号公報
【特許文献１】特開２０１８−７８８１８号公報
【発明の概要】
【発明が解決しようとする課題】
【０００８】
従来の飽差による環境制御において、飽差表から得られる相対湿度は、ハウス内温度が２０℃で７０〜８０％、２５℃で７５〜８５％、３０℃で８５〜９０％となる。ハウス内温度に応じて相対湿度を管理することによって飽差は３〜６ｇ／ｍ３となるが、実際に３０℃を超えるようなハウス内の湿度を９０％近くに設定することは非常に蒸し暑い環境となり、植物の生長にとって好ましい環境とはいいがたく、飽差による環境制御には限界があるものと思料する。
【０００９】
また、特許文献１に開示された温室環境制御装置や特許文献２に開示された農業用環境制御装置によると、日射量に基づいてある程度のハウス内の環境制御は可能であるものと思料する。しかしながら、光合成を促進するにあたっては、日射量とハウス内温度との関係のほか、ハウス内湿度の影響が非常に大きいため、まずはハウス内湿度を適正に管理した上で、日射量による影響を考慮することが望ましい。
【００１０】
そこで本願発明者らは、上記の問題点に鑑み、少なくともハウス内の乾湿計から得られる環境情報から、ハウス内の栽培環境を最適且つ高精度に制御可能な農業用ハウス内環境制御システム及び農業用ハウス内環境制御方法を提供するべく鋭意検討を重ねた結果、本発明に至ったのである。
【課題を解決するための手段】
【００１１】
即ち、本発明の農業用ハウス内環境制御システムは、少なくとも農業用ハウス内の環境情報に基づいて農業用ハウス内の栽培環境を最適に自動制御する制御システムであって、ハウス内に設置される乾湿計と、ハウス内の栽培環境を調節する環境調節装置と、前記環境調節装置を制御する環境制御装置とを含んで構成され、前記環境制御装置が、少なくとも、前記乾湿計で測定される乾球温度測定値及び湿球温度測定値と、該乾球温度測定値及び湿球温度測定値を基に湿度表から取得される相対湿度と、前記環境調節装置の状態と、が入力される入力部と、予め設定されたハウス内の湿球温度設定値と前記湿球温度測定値とを比較して、前記湿球温度測定値が前記湿球温度設定値の範囲内であるか否かを判定する判定部と、前記湿球温度測定値が前記湿球温度設定値の範囲外のとき、前記湿球温度測定値が前記湿球温度設定値の範囲内に納まるように、乾球温度目標値及び／又は相対湿度目標値を湿り空気線図から取得して環境制御情報を設定する環境制御情報設定部と、前記環境制御情報を前記環境調節装置へ送出する出力部とを備えることを特徴とする。
【００１２】
また、本発明の農業用ハウス内環境制御システムにおいて、ハウス外に設置される日射計を更に含んで構成され、前記入力部に、前記日射計で測定される日射量測定値と、前記日射計が設置されている地点における該日射量測定値の取得時の大気外全天日射量とが入力され、前記環境制御情報を設定する際、前記日射量測定値と前記大気外全天日射量とを比較して曇り度合いを算出し、該曇り度合いによって前記環境制御情報を補正することを特徴とする。
【００１３】
更に、本発明の農業用ハウス内環境制御システムにおいて、前記環境調節装置が換気窓であることを特徴とする。
【００１４】
また、本発明の農業用ハウス内環境制御方法は、少なくとも農業用ハウス内の環境情報に基づいて農業用ハウス内の栽培環境を最適に自動制御する制御方法であって、ハウス内の湿球温度設定値を入力する湿球温度設定値入力ステップと、ハウス内に設置された乾湿計で測定される乾球温度測定値及び湿球温度測定値と、該乾球温度測定値及び湿球温度測定値を基に湿度表から取得される相対湿度と、環境調節装置の状態とを取得する情報取得ステップと、前記湿球温度設定値と前記湿球温度測定値とを比較して、前記湿球温度測定値が前記湿球温度設定値の範囲内であるか否かを判定する判定ステップと、前記湿球温度測定値が前記湿球温度設定値の範囲外のとき、前記湿球温度測定値が前記湿球温度設定値の範囲内に納まるように、乾球温度目標値及び／又は相対湿度目標値を湿り空気線図から取得して環境制御情報を設定する環境制御情報設定ステップと、前記環境制御情報を前記環境調節装置へ送出する出力ステップとを備えることを特徴とする。
【００１５】
また、本発明の農業用ハウス内環境制御方法において、前記情報取得ステップにおいて、ハウス外に設置された日射計で測定される日射量測定値と、該日射計が設置されている地点における該日射量測定値の取得時の大気外全天日射量とが更に取得され、前記環境制御情報設定ステップにおいて、前記日射量測定値と前記大気外全天日射量とを比較して曇り度合いを算出し、環境情報を設定する際に該曇り度合いによって前記環境制御情報が補正されることを含むことを特徴とする。
【発明の効果】
【００１６】
本発明の農業用ハウス内環境制御システム及び農業用ハウス内環境制御方法によると、少なくともハウス内の乾湿計から得られる環境情報に基づいて、ハウス内の栽培環境を最適且つ高精度に制御することができる。
【００１７】
また、本発明の農業用ハウス内環境制御システム及び農業用ハウス内環境制御方法において、日射計から得られる環境情報に基づいて環境制御情報を補正することによって、ハウス内の栽培環境を更に最適且つ高精度に制御することができる。
【００１８】
更に、本発明の農業用ハウス内環境制御システム及び農業用ハウス内環境制御方法において、環境調節装置を換気窓とすることによって、ハウス内の温度及び湿度を容易に調整することができる。
【図面の簡単な説明】
【００１９】
【図１】本発明の一実施形態に係る農業用ハウス内環境制御システムの全体構成を示す概略ブロック図である。
【図２】本発明の他の実施形態に係る農業用ハウス内環境制御システムの全体構成を示す概略ブロック図である。
【図３】図１に示した農業用ハウス内環境制御システムによる環境制御方法を示す概略フロー図である。
【図４】図２に示した農業用ハウス内環境制御システムによる環境制御方法を示す概略フロー図である。
【発明を実施するための形態】
【００２０】
以下、本発明の農業用ハウス内環境制御システムの実施形態について、図面に基づいて詳述する。図１は本発明の一実施形態に係る農業用ハウス内環境制御システム１０の全体構成を示すブロック図である。同図に示すように、本実施形態の農業用ハウス内環境制御システム１０は、少なくとも農業用ハウス内の環境情報に基づいて農業用ハウス内の栽培環境を最適に自動制御する制御システムであって、主にハウス１内に設置される乾湿計２０と、ハウス１内の栽培環境を調節する環境調節装置３０と、環境調節装置３０を制御する環境制御装置４０と、を含んで構成されている。
【００２１】
通常、ハウス１内の環境情報としては非常に多岐に亘り、例えばハウス１内の温度、湿度、日射量、培地温度、植物体温度、灌水温度、土壌水分、ＣＯ２濃度、灌水量等が挙げられる。これらの環境情報はハウス内に設置される各種センサによって測定されるが、本実施形態では特に乾湿計２０を設置して、ハウス１内の乾球温度及び湿球温度を測定するとともに、この乾球温度及び湿球温度を基に湿度表から相対湿度を取得する。
【００２２】
環境調節装置３０は、ハウス１内を最適な栽培環境とするべく、環境制御を行うための環境調節装置であって、例えば換気窓、保温カーテン、遮光カーテン、暖房機、ＣＯ２発生器、灌水装置、ヒートポンプ、循環扇、換気扇、細霧装置、除湿装置、電照等が挙げられる。これらから選択される環境調節装置３０を自動制御することによって、ハウス１内の栽培環境が最適となるように環境制御を行う。具体的な制御方法については後述する。
【００２３】
環境制御装置４０は、環境調節装置３０を自動制御するための制御装置であって、少なくとも、乾湿計２０で測定される乾球温度測定値及び湿球温度測定値と、乾球温度測定値及び湿球温度測定値を基に湿度表から取得される相対湿度と、環境調節装置３０の状態とが入力される入力部４１と、予め設定されたハウス１内の湿球温度設定値と湿球温度測定値とを比較して、湿球温度測定値が湿球温度設定値の範囲内であるか否かを判定する判定部４２と、湿球温度測定値が湿球温度設定値の範囲外のとき、湿球温度測定値が湿球温度設定値の範囲内に納まるように、乾球温度目標値及び／又は相対湿度目標値を湿り空気線図から取得して環境制御情報を設定する環境制御情報設定部４３と、環境制御情報を環境調節装置３０へ送出する出力部４４とを備えることを特徴とする。
【００２４】
環境制御装置４０に係る入力部４１には、上記のとおり、ハウス１内に設置された乾湿計２０によって測定される乾球温度測定値及び湿球温度測定値と、乾球温度測定値及び湿球温度測定値を基に湿度表から取得される相対湿度と、環境調節装置３０の状態とが入力される。なお、乾球温度測定値及び湿球温度測定値から取得される相対湿度は、乾球温度測定値及び湿球温度測定値が一旦、演算部４６に送られ、演算部４６において湿度表を基に取得される。そして、演算部４６において取得された相対湿度が、乾球温度測定値及び湿球温度測定値とともに入力部４１に入力される。
【００２５】
環境調節装置３０の状態は、例えば、環境調節装置３０が換気窓の場合、乾球温度測定値、湿球温度測定値、及び相対湿度とともに、これらの測定時における換気窓の開度が入力部４１に入力される。
【００２６】
判定部４２では、予め設定されたハウス１内の湿球温度設定値と湿球温度測定値とを比較して、湿球温度測定値が湿球温度設定値の範囲内であるか否かを判定する。例えば、ハウス１内の湿球温度を２５℃に設定したい場合、設定値入力部４５から判定部４２に対して目標とする湿球温度（湿球温度設定値＝２５℃）が入力される。そして、入力部４１から得られたハウス１内の湿球温度測定値と湿球温度設定値とを比較し、湿球温度測定値が湿球温度設定値の範囲内（例えば、湿球温度設定値＝２５℃±０．５℃）であるか否かの判定がなされる。
【００２７】
そして、判定部４２においてハウス１内の湿球温度測定値が湿球温度設定値の範囲外と判定されたときは、環境制御情報設定部４３において、湿球温度測定値が湿球温度設定値の範囲内に納まるように、乾球温度目標値及び／又は相対湿度目標値を湿り空気線図から取得して環境制御情報が設定される。
【００２８】
最後に、環境制御情報設定部４３で設定された環境制御情報は出力部４４に送られ、この出力部４４からハウス１に係る環境調節装置３０に環境制御情報が送られる。環境制御情報によって環境調節装置３０が自動制御されることによって、ハウス１内の栽培環境が設定値入力部４５から入力された栽培環境に維持されることとなる。
【００２９】
以上のように、本実施形態に係る農業用ハウス内環境制御システム１０によると、ハウス１内の湿球温度測定値が湿球温度設定値の範囲外のとき、湿球温度測定値が湿球温度設定値の範囲内に納まるように、乾球温度目標値及び／又は相対湿度目標値を湿り空気線図から取得して環境制御情報が設定されるため、複雑な環境制御を要することなく、ハウス内の栽培環境を最適且つ高精度に制御することができる。
【００３０】
以上、本発明の一実施形態について詳述したが、本発明の農業用ハウス内環境制御システムにおいて、乾湿計から得られる環境情報とともに、ハウス外に設置された日射計から得られる日射量のデータを活用することによって、環境制御情報設定部において、天候を考慮した環境制御情報を設定することが可能となる。
【００３１】
より具体的には、図２に示した本実施形態の農業用ハウス内環境制御システム１１は、基本的な構成は図１に示した農業用ハウス内環境制御システム１０と同様であり、更に、ハウス１外に日射計５０を含んで構成されている。日射計５０によって得られる日射量測定値は、演算部４６において取得される大気外全天日射量とともに入力部４１に入力される。ここで、大気外全天日射量は、日射量測定時の日時と、日射計５０が設置されている地点の緯度及び経度から、公知の演算式によって算出することができる。つまり、演算部４６において、日射計５０によって日射量測定値を取得した日時と、日射計５０が設置されている地点の緯度及び経度から、日射量測定値を取得した時点における大気外全天日射量を算出し、この算出された大気外全天日射量とともに日射量測定値が入力部４１に入力される。
【００３２】
そして、環境制御情報設定部４３において環境制御情報を設定する際、日射量測定値と大気外全天日射量とを比較して曇り度合いを算出する。一般的に、晴天時には湿度が低くなり、曇天時には湿度が高くなるため、環境制御情報設定部４３において環境制御情報を設定する際、この曇り度合いによって環境制御情報を補正することによって、天候を考慮した環境制御情報を設定することが可能となり、ハウス１内の栽培環境を更に高精度に制御することができる。
【００３３】
以上、本発明の農業用ハウス内環境制御システムの実施形態について詳述したが、次に、本発明の実施形態に係る農業用ハウス内環境制御システム１０（図１参照）による環境制御方法について、図３に基づいて詳述する。ここで、本実施形態の農業用ハウス内環境制御システム１０において、ハウス１内には乾湿計２０が設置されている。また、環境調節装置３０を換気窓とする。
【００３４】
まず、ステップＳ１１において、設定値入力部４５から湿球温度設定値ＷＢを入力する。例えば、本実施形態では、ハウス１内の湿球温度を２５℃に設定、つまり湿球温度設定値ＷＢ＝２５℃に設定する。
【００３５】
次に、ステップＳ１２において、乾湿計２０で測定される乾球温度測定値ｄｂｎ及び湿球温度測定値ｗｂｎと、演算部４６においてこれらの乾球温度測定値ｄｂｎ及び湿球温度測定値ｗｂｎを基に湿度表から取得される相対湿度ｒｈｎと、環境調節装置３０の状態Ｓ（本実施形態では換気窓の開度）とを取得し、入力部４１に入力される。
【００３６】
そして、ステップＳ１３において、予め設定されたハウス１内の湿球温度設定値ＷＢと、入力部４１からの湿球温度測定値ｗｂｎとが判定部４２で比較され、湿球温度測定値ｗｂｎが湿球温度設定値ＷＢの範囲内であるか否かの判定がなされる。例えば、本実施形態において湿球温度設定値ＷＢを２５℃に設定し、±０．５℃の範囲を湿球温度設定値ＷＢの範囲内とした場合、湿球温度測定値ｗｂｎ＝２４．５℃〜２５．５℃であれば、判定部４２において湿球温度測定値ｗｂｎが湿球温度設定値ＷＢの範囲内であると判定される。
【００３７】
ステップＳ１３において、湿球温度測定値ｗｂｎが湿球温度設定値ＷＢの範囲内であると判定された場合は環境制御情報Ｐが設定されず、ステップＳ１６において終了しない場合はステップＳ１２へ戻る。
【００３８】
一方、ステップＳ１３において、湿球温度測定値ｗｂｎが湿球温度設定値ＷＢの範囲外であると判定された場合は、続くステップＳ１４において、湿球温度測定値ｗｂｎが湿球温度設定値ＷＢの範囲内に納まるように、乾球温度目標値ＤＢ及び／又は相対湿度目標値ＲＨを湿り空気線図から取得して、環境制御情報Ｐを設定する。本実施形態に係る環境制御情報Ｐは換気窓の開度であるが、湿球温度測定値ｗｂｎが湿球温度設定値ＷＢの範囲内に納まるようにするため、湿り空気線図から取得した乾球温度目標値ＤＢ及び／又は相対湿度目標値ＲＨとなるように換気窓の開度を環境制御情報設定部４３において設定し、出力部４４に送る。
【００３９】
最後に、ステップＳ１５において、環境制御情報設定部４３から出力部４４に送られた環境調節装置３０の環境制御情報Ｐは、この出力部４４からハウス１に係る環境調節装置３０に出力される。そして、環境制御情報Ｐによって環境調節装置３０（本実施形態に係る換気窓）が自動制御されることによって、ハウス１内の栽培環境が設定値入力部４５から入力された湿球温度設定値ＷＢの範囲内に維持されることとなる。
【００４０】
以上のように、乾湿計２０で測定される湿球温度測定値ｗｂｎと、設定値入力部４５から入力された湿球温度設定値ＷＢとを比較して、湿球温度測定値ｗｂｎが湿球温度設定値ＷＢの範囲内に納まるように、湿り空気線図から取得した乾球温度目標値ＤＢ及び／又は相対湿度目標値ＲＨとなるように環境制御情報Ｐを設定して環境調節装置３０を調節することによって、最適且つ高精度なハウス１内の環境制御を実現することができる。
【００４１】
以上、本発明の実施形態に係る農業用ハウス内環境制御システム１０による環境制御方法について詳述したが、次に本発明の実施形態に係る農業用ハウス内環境制御システム１１による環境制御方法について説明する。
【００４２】
図４に示した本実施形態に係る農業用ハウス内環境制御システム１１による環境制御方法において、基本的な流れは上記の実施形態に係る農業用ハウス内環境制御システム１１による環境制御方法と同様であり、まずステップＳ１１において、設定値入力部４５から湿球温度設定値ＷＢを入力する。
【００４３】
次に、ステップＳ１２ａにおいて、乾湿計２０で測定される乾球温度測定値ｄｂｎ及び湿球温度測定値ｗｂｎと、演算部４６においてこれらの乾球温度測定値ｄｂｎ及び湿球温度測定値ｗｂｎを基に湿度表から取得される相対湿度ｒｈｎと、環境調節装置３０の状態Ｓ（本実施形態では換気窓の開度）とが取得されるとともに、ハウス１外に設置された日射計５０によって測定される日射量測定値ｓｒｎと、日射量測定時の日時と、日射計５０が設置されている地点の緯度及び経度から公知の演算式によって算出される大気外全天日射量ＳＲｎとが取得され、入力部４１に入力される。
【００４４】
次に、ステップＳ１３において、予め設定されたハウス１内の湿球温度設定値ＷＢと、入力部４１からの湿球温度測定値ｗｂｎとが比較され、湿球温度測定値ｗｂｎが湿球温度設定値ＷＢの範囲外であると判定された場合は、続くステップＳ１４ａにおいて、まず日射量測定値ｓｒｎと大気外全天日射量ＳＲｎとを比較して曇り度合いｃｃｎが算出される。そして、湿球温度測定値ｗｂｎが湿球温度設定値ＷＢの範囲内に納まるように、乾球温度目標値ＤＢ及び／又は相対湿度目標値ＲＨを湿り空気線図から取得して環境制御情報Ｐを設定する際に、曇り度合いｃｃｎによって環境制御情報Ｐを補正し、環境制御情報Ｐａを設定する。
【００４５】
最後に、ステップＳ１５ａにおいて、環境制御情報設定部４３から出力部４４に送られた環境調節装置３０の環境制御情報Ｐａは、この出力部４４からハウス１に係る環境調節装置３０に出力される。そして、環境制御情報Ｐａによって環境調節装置３０（本実施形態に係る換気窓）が自動制御されることによって、ハウス１内の栽培環境が設定値入力部４５から入力された湿球温度設定値ＷＢの範囲内に維持されることとなる。
【００４６】
以上のように、本実施形態では、湿球温度測定値ｗｂｎが湿球温度設定値ＷＢの範囲内に納まるように、乾球温度目標値ＤＢ及び／又は相対湿度目標値ＲＨを湿り空気線図から取得して環境制御情報Ｐを設定する際に曇り度合いｃｃｎによって補正しているため、天候を考慮した環境制御情報Ｐａを設定することが可能となり、ハウス１内の栽培環境を更に高精度に制御することができる。
【００４７】
以上に例示した本発明の実施形態に係る農業用ハウス内環境制御システム１０及びこれによる環境制御方法は、本発明の技術的思想を実質的に限定するものと解してはならない。本発明はその要旨を逸脱しない範囲で、当業者の創意と工夫により、適宜に改良、変更又は追加をしながら実施できる。
【符号の説明】
【００４８】
１０、１１：農業用ハウス内環境制御システム
２０：乾湿計
３０：環境調節装置
４０：環境制御装置
４１：入力部
４２：判定部
４３：環境制御情報設定部
４４：出力部
４５：設定値入力部
４６：演算部
５０：日射計
Ｐ、Ｐａ：環境制御情報
ＷＢ：湿球温度設定値
ＤＢ：乾球温度目標値
ＲＨ：相対湿度目標値
ＳＲｎ：大気外全天日射量
ｄｂｎ：乾球温度測定値
ｗｂｎ：湿球温度測定値
ｒｈｎ：相対湿度
ｓｒｎ：日射量測定値
ｃｃｎ：曇り度合い
【図１】
2020191827.tif 000003
【図２】
2020191827.tif 000004
【図３】
2020191827.tif 000005
【図４】
2020191827.tif 000006